(57)【要約】      （修正有）【課題】暗い場所であっても明るい場所であっても発光による充分な演出効果又は装飾効果を発揮し、指先を美しく見せることができる人造爪を提供する。【解決手段】人造爪１は、人造爪の基体２の表面側などに配設するＬＥＤ３と、ＬＥＤ３へ電気を供給伝導する電気供給手段と、基体２の表面側などに付加する装飾体５とを備える。電気供給手段として、電池収容機構及び電池収容機構とＬＥＤ３との間に介在する中継体を備える。【選択図】図１
0003199104.tif 000002
【実用新案登録請求の範囲】
【請求項１】
指先を美しく見せるために人爪に固着して使用する人造爪であって、
使用の際に一方端側を人爪に固着する人造爪の基体と、
前記基体の表面側又は裏面側に配設する発光素子と、
前記発光素子へ電気を供給伝導する電気供給手段と、
を少なくとも備える人造爪。
【請求項２】
前記発光素子が、発光ダイオードである請求項１の人造爪。
【請求項３】
前記基体の表面側又は裏面側に装飾体を付加するとともに、前記装飾体により成形された空間の内部又は前記装飾体上に前記発光素子を配設した請求項１又は請求項２に記載の人造爪。
【請求項４】
前記電気供給手段が、電池収容機構及び前記電池収容機構と前記発光素子との間に介在する中継体である請求項１から請求項３のいずれかに記載の人造爪。
【請求項５】
前記電池収容機構を、前記基体の裏面側に配設した請求項４の人造爪。
【請求項６】
前記電池収容機構を、１又は複数のボタン型電池を収容するのに適した形状又は構造とした請求項４又は請求項５に記載の人造爪。
【考案の詳細な説明】
【技術分野】
【０００１】
本願考案は、基体の表面側等に発光素子を配設した人造爪に関するものである。
【背景技術】
【０００２】
従来より、指先を美しく見せるために爪の表面にマニキュアを塗布したり、人造爪を使用したりすることは行われている。
【０００３】
しかしながら、マニキュアあるいは人造爪の多くは、明るい場所では視認できるが、暗い場所では視認し難くなるため充分な装飾効果を発揮することができていなかった。
【０００４】
暗所において装飾効果を得るための人工爪の考案も存在はする（例えば、特許文献１）。
【０００５】
また、装飾的な用途ではない、光るつけ爪の考案も存在はする（例えば、特許文献２）。
【先行技術文献】
【特許文献】
【０００６】
【特許文献１】実用新案登録第３１１６６０９号公報
【特許文献２】実用新案登録第３０６６４５３号公報
【考案の概要】
【考案が解決しようとする課題】
【０００７】
上述した特許文献１は、暗所において装飾効果を得るために、蓄光性を有する材料を利用した人工爪であり、上述した特許文献２は、携帯電話機のアンテナから出力される電波を利用して、つけ爪の中に装備した発光素子を発光させるつけ爪である。
【０００８】
特許文献１の人工爪（人造爪）は、確かに暗所において装飾効果を得ることも可能と思われるが、蓄光性材料の光では充分な装飾効果が得られないケースもあり得るものと考える。また、特許文献２のつけ爪（人造爪）は、そもそも装飾的な用途を想定したつけ爪ではない。
【０００９】
本願考案が解決しようとする課題は、暗い場所であっても明るい場所であっても充分な装飾効果あるいは演出効果を発揮することが可能で、指先を美しく見せることができる人造爪を提供することである。
【課題を解決するための手段】
【００１０】
そこで本願考案は、指先を美しく見せるために人爪に固着して使用する人造爪であって、使用の際に一方端側を人爪に固着する人造爪の基体と、前記基体の表面側又は裏面側に配設する発光素子と、前記発光素子へ電気を供給伝導する電気供給手段と、を少なくとも備える人造爪を提供する。
【００１１】
そこで本願考案は、指先を美しく見せるために人爪に固着して使用する人造爪であって、使用の際に一方端側を人爪に固着する人造爪の基体と、前記基体の表面側又は裏面側に配設する発光ダイオード（以下、「ＬＥＤ」という。）と、前記ＬＥＤへ電気を供給伝導する電気供給手段と、を少なくとも備える人造爪を提供する。
【００１２】
また、本願考案は、指先を美しく見せるために人爪に固着して使用する人造爪であって、使用の際に一方端側を人爪に固着する人造爪の基体と、前記基体の表面側又は裏面側に配設する発光素子（ＬＥＤなど）と、前記発光素子へ電気を供給伝導する電気供給手段と、を少なくとも備え、さらに、前記基体の表面側又は裏面側に装飾体を付加するとともに、前記装飾体により成形された空間の内部又は前記装飾体上に前記発光素子を配設した人造爪を提供する。
【００１３】
また、本願考案は、指先を美しく見せるために人爪に固着して使用する人造爪であって、使用の際に一方端側を人爪に固着する人造爪の基体と、前記基体の表面側又は裏面側に配設する発光素子（ＬＥＤなど）と、前記発光素子へ電気を供給伝導する電気供給手段と、を少なくとも備え、前記電気供給手段が、電池収容機構及び前記電池収容機構と前記発光素子との間に介在する中継体である人造爪を提供する。
【００１４】
また、本願考案は、指先を美しく見せるために人爪に固着して使用する人造爪であって、使用の際に一方端側を人爪に固着する人造爪の基体と、前記基体の表面側又は裏面側に配設する発光素子（ＬＥＤなど）と、前記発光素子へ電気を供給伝導する電気供給手段と、を少なくとも備え、前記電気供給手段が、電池収容機構及び前記電池収容機構と前記発光素子との間に介在する中継体であり、前記電池収容機構を前記基体の裏面側に配設した人造爪を提供する。
【００１５】
また、本願考案は、指先を美しく見せるために人爪に固着して使用する人造爪であって、使用の際に一方端側を人爪に固着する人造爪の基体と、前記基体の表面側又は裏面側に配設する発光素子（ＬＥＤなど）と、前記発光素子へ電気を供給伝導する電気供給手段と、を少なくとも備え、前記電気供給手段が、電池収容機構及び前記電池収容機構と前記発光素子との間に介在する中継体であり、前記電池収容機構の形状を１又は複数のボタン型電池を収容するのに適した形状又は構造とし、前記基体の裏面側に配設した人造爪を提供する。
【考案の効果】
【００１６】
本願考案の人造爪は、基体に配設する発光素子が電気供給手段から電気の供給伝導を受けて発光し、指先を照らすことができるため、暗い場所であっても充分な装飾効果あるいは演出効果を発揮することが可能で、指先を美しく見せることができる。
【００１７】
本願考案の人造爪は、基体に配設するＬＥＤが電気供給手段から電気の供給伝導を受けて発光し、指先を照らすことができるため、暗い場所であっても充分な装飾効果あるいは演出効果を発揮することが可能で、指先を美しく見せることができる。また、発光する光が強いため明るい場所であっても発光による装飾効果あるいは演出効果を発揮できる。さらに、発光色による装飾効果あるいは演出効果の増加、発熱の抑制、軽量化、発光時間の長期化等、ＬＥＤの特徴に由来する多くの効果を発揮することも可能となる。
【００１８】
本願考案の人造爪は、さらに、前記基体に装飾体を付加するとともに、前記装飾体により成形された空間の内部又は前記装飾体上に前記発光素子を配設したため、装飾効果あるいは演出効果が増し、より指先を美しく見せることができる。
【００１９】
本願考案の人造爪は、電気供給手段として、電池収容機構及び前記電池収容機構と前記発光素子との間に介在する中継体を備えるため、電池を用いて発光素子を発光させることが可能となる。また、製造（製作）も容易となる。
【００２０】
本願考案の人造爪は、電池収容機構を、基体の裏面側に配設したため、当該人造爪の表面側に飲食物が接触した場合あるいは雨や雪が付着した場合であっても、電気的な不具合（発光素子が消えてしまうことなど）が生じ難い。
【００２１】
本願考案の人造爪は、電池収容機構を、１又は複数のボタン型電池を収容するのに適した形状又は構造としたため、市販のボタン型電池を使用することが可能であり利便性や保守性に優れる。
【図面の簡単な説明】
【００２２】
【図１】図１は実施例１の人造爪を表面側から見た正面図である。
【図２】図２は実施例１の人造爪を裏面側から見た背面図である。
【図３】図３は基体の反り（基体のみ）を示した簡略底面図である。
【図４】図４は装飾体により成形された空間の内部に発光素子を配設した人造爪の例である。
【図５】図５は実施例１の人造爪を人爪に装着した際の使用状態を示す図である。
【考案を実施するための形態】
【００２３】
結婚式等の際に使用する人造爪として実施する。
【実施例１】
【００２４】
まずは、人造爪の構成について図１から図４に従い説明する。
【００２５】
人造爪（１）は、人爪に固着する際に固着し易いように人爪様の反りを備えた基体（２）と、前記基体の表面側に配設したＬＥＤ（３）と、前記ＬＥＤへ電気を供給伝導する電気供給手段（４）と、前記基体の表面側に配設した所定の装飾体（５）と、で構成する（図１から図３）。
【００２６】
前記基体（２）について、一方端側（図１又は図２で示す下側）を人爪に固着して使用する人造爪のベースとなる部材のことである（図１又は図２）。
【００２７】
前記基体（２）の反りについて、人爪に固着する際に固着し易いように人爪様の反りを備えた基体を使用しているが、人爪に固着することができれば人爪と異なる反りを備える基体（反りのないものを含む）であっても許容し得るものとする（図３）。
【００２８】
なお、図１において、前記基体（２）の表面を無模様であらわしているが、前記装飾体（５）の背景等として図柄やイラストを組み合わせてデザインすることを否定しているものではない（図１）。
【００２９】
前記ＬＥＤ（３）について、たて、横、厚みがいずれも数ミリメートル程度のＬＥＤを使用しているが、当該人造爪を使用の際に発光し指先を照らすことができる発光素子であればその他のＬＥＤあるいはＬＥＤ以外の発光素子に変更することも可能である（図１）。
【００３０】
前記ＬＥＤ（３）の配置について、発光により充分な装飾効果あるいは演出効果を発揮することができ、指先を美しく見せることができれば、前記基体（２）表面側又は裏面側のいかなる位置であっても許容されるが、好ましくは、図４の様に、装飾体（５）により成形された空間の内部に前記ＬＥＤを配設し、当該成形空間より漏れる光で前記装飾体等を含めた指先がより美しく装飾あるいは演出される配置である（図４）。
【００３１】
前記ＬＥＤ（３）の個数について、発光により充分な装飾効果あるいは演出効果を発揮することができ、指先を美しく見せることができれば、いくつでも許容し得るが、軽量化及び発光時間の長期化を重視すれば３個程度までにとどめておくことが好ましいと考える。最も好ましいのは１個で指先を美しく見せることである。
【００３２】
前記ＬＥＤ（３）の発光色について、単色（赤、青、緑、白など）でも、複数の色を組み合わせても良い。
【００３３】
前記電気供給手段（４）とは、前記ＬＥＤ（３）を発光させるための電気を供給伝導する部材又は設備を指し、本実施例の場合は、電気供給源である電池（Ａ）を収容する部材である電池収容機構（４１）と、前記電池収容機構と前記ＬＥＤとの間に介在する中継体（４２）を指す（図２）。
【００３４】
なお、前記ＬＥＤを発光させるための電気をワイヤレス（無線）で供給伝導する場合においては、それに対応する部材又は設備を指すものとする。
【００３５】
前記電池収容機構（４１）の配置について、前記基体（２）のいずれの位置であっても許容し得るが、人造爪の使用の際に、表面側に飲食物が接触してあるいは雨や雪が付着して電気的な不具合（発光素子が消えてしまうことなど）が生じ得る可能性を考慮すると、前記基体の裏面側に配設する方が好ましい（図２）。
【００３６】
前記電池収容機構（４１）の形状又は構造について、前記基体の裏面側又は表面側に配設し得るものであればいかなる形状又は構造の電池収容機構であっても許容し得るが、人爪に固着して使用する人造爪を構成する要素として考えれば軽量かつ小さいものが好ましい。例えば、市販のボタン型電池を１個収容可能な、ボタン型電池大の凹み部を有し、当該凹み部の底部及び当該凹み部の側面部等に電気的接続用の端子を備えるものなどである（図２）。
【００３７】
前記電池収容機構（４１）に収納する電池（Ａ）について、取り付け時又は交換時の利便性や保守性を考えると、市販の電池（例えば、電圧３ボルトのＣＲ１２２０）が使用できることが好ましい。さらに好ましくは、軽量化のことも考慮し電圧３ボルトのＣＲ１２２０を１個で使用できる構成である（図２）。
【００３８】
なお、電圧３ボルトのＣＲ１２２０を２個使用することにより、本実施例で使用したＬＥＤを９個発光できることは確認済みである。
【００３９】
前記中継体（４２）について、前記電池収容機構（４１）と前記ＬＥＤ（３）とを電気的に接続する部材であり、より軽量である方が好ましい。
【００４０】
前記装飾体（５）について、前記基体（２）の表面側又は裏面側に立体的に装飾するものを指し、本実施例では、前記基体の一方端側（図１で示す下方端側）で横に２個並べて配設した第１の種類の花と、前記第１の種類の花の上方で２か所に分けて３個配設した第２の種類の花と、前記基体の他方端（図１で示す上端又は先端）側で縦に重なり合うように３個並べて配設した第３の種類の花と、前記基体を横断するよう配設した２本のジュエリー風の装飾体を指している（図１）。
【００４１】
なお、前記装飾体（５）の種類、配置、形状及び個数について、嗜好に合わせて変化するものであるため、いかなる種類、配置、形状及び個数であっても当然に許容し得るものとする。
【００４２】
次に、人造爪を製造（製作）する際の工程について図１及び図２に従い簡単に説明する。
【００４３】
あらかじめ中継体（４２）に電池収容機構（４１）及びＬＥＤ（３）を接続しユニット化しておき、基体（２）の裏面側等に配設し固着する（図２）。
【００４４】
次に、前記基体（２）の表面側等に各種の装飾体（５）を接着にて固着する（図１）。
【００４５】
なお、あらかじめ接続をし、ユニット化しておいた電池収容機構（４１）及びＬＥＤ（３）の接続について、各種の装飾体の接着と同時あるいは各種の装飾体の接着の後に行っても良い。
【００４６】
次に、人造爪の人爪への固着及び人爪へ固着した際の使用状態について図５に従い説明する。
【００４７】
基体（２）の下方端側をいずれかの人爪（Ｂ）（図５では左手人差し指の人爪）に固着することにより、本願考案の人造爪（１）を固定する。
【００４８】
なお、前記人爪と人造爪との固着は、一般的な接着方法により行われる。
【００４９】
前記基体の裏面側に配設した電池収容機構に市販のボタン型電池（電圧３ボルトのＣＲ１２２０など）を取り付けると、前記中継体を介して前記ＬＥＤが電気的に接続されるため、電気が供給伝導されて前記ＬＥＤが発光し指先を照らす。これにより、装飾効果あるいは演出効果を発揮し指先を美しく見せる。
【産業上の利用可能性】
【００５０】
本願考案の人造爪は、基体に配設した発光素子が発光し指先を照らすことにより、装飾効果あるいは演出効果を発揮し指先を美しく見せる優れた人造爪であるので、産業上の利用可能性を有する。
【符号の説明】
【００５１】
１    人造爪
２    人造爪の基体
３    発光素子、ＬＥＤ（発光ダイオード）
４    電気供給手段
４１  電池収容機構
４２  中継体
５    装飾体
Ａ    電池、ボタン型電池
Ｂ    人爪
【図１】
0003199104.tif 000003
【図２】
0003199104.tif 000004
【図３】
0003199104.tif 000005
【図４】
0003199104.tif 000006
【図５】
0003199104.tif 000007